(57)【特許請求の範囲】
【請求項１】
ディスクコイル（２）用の測定ツール（１）であって、
フレーム（１０）と、
該フレーム（１０）に設けられた２つのキャリヤ（１１，１２）であって、可動な支持体（１３，１４）を有する、キャリヤ（１１，１２）と、
前記ディスクコイル（２）の幾何学的特徴を測定するための、前記可動な支持体（１３，１４）に設けられたゲージ（１６，１７）と、を備え、
前記ゲージ（１６，１７）が設けられた前記可動な支持体（１３，１４）を備えた前記２つのキャリヤ（１１，１２）は、それぞれ、
可動な支持体（１３）及び第１のゲージ（１６）を備えた第１のキャリヤ（１１）と、
可動な支持体（１４）及び第２のゲージ（１７）を備えた第２のキャリヤ（１２）とであり、
前記第１のキャリヤ及び前記第２のキャリヤ（１１，１２）は、制御ユニット（２７）に接続されており、
さらに前記ディスクコイル（２）の角度位置を測定する角度位置のセンサ（２５）を備え、該角度位置のセンサ（２５）は、前記制御ユニット（２７）に接続されており、
前記ディスクコイルは、半径方向に隣接して配列された複数の同軸の環状のリング（３）を有し、
前記第１のゲージ（１６）は、前記リング（３）の円周経路をたどりかつ該リング（３）の円周経路を示す第１の信号を発生するよう配置されており、
前記第２のゲージ（１７）は、前記ディスクコイル（２）の外側境界（７）の経路をたどりかつ前記ディスクコイル（２）の外側境界（７）の経路を示す第２の信号を発生するよう配置されており、
前記制御ユニット（２７）は、前記第１の信号と前記第２の信号との差を計算することによって前記外側境界（７）に関する各リング（３）の形状を確認するよう配置されていることを特徴とする、ディスクコイル（２）用の測定ツール。
【請求項２】
前記フレーム（１０）は、ディスクコイル（２）用の支持体（２０）を有する又はディスクコイル（２）用の支持体に結合されている、請求項１記載のツール。
【請求項３】
前記ディスクコイル（２）は、中央孔（５）を備えた環状構造を有し、前記ディスクコイル（２）用の支持体（２０）は、前記ディスクコイル（２）を前記中央孔（５）において保持するように配置された中央エレメント（２１）を有する、請求項２記載のツール。
【請求項４】
前記支持体（２０）は、前記中央エレメント（２１）に結合された少なくとも１つの支柱（２２）も有する、請求項３記載のツール（１）。
【請求項５】
前記中央エレメント（２１）は、前記支柱（２２）の下側に結合されている、請求項４記載のツール（１）。
【請求項６】
前記中央エレメント（２１）は、前記支柱（２２）の上側に結合されている、請求項４記載のツール。
【請求項７】
前記支持体（２０）は、前記フレーム（１０）に対して回転可能である、請求項２記載のツール（１）。
【請求項８】
前記支持体（２０）は、前記ディスクコイル（２）のための支持平面（２８）を規定し、前記ディスクコイル（２）は、前記中央エレメント（２１）に結合されたときに前記支持平面（２８）に位置し、前記ツール（１）の前記第１のゲージ（１６）及び前記第２のゲージ（１７）は、一方が前記支持平面（２８）の上方に、他方が前記支持平面（２８）の下方に位置決めされている、請求項５又は６又は７記載のツール（１）。
【請求項９】
前記キャリヤ（１１，１２）のうちの少なくとも一方によって支持されかつ前記制御ユニット（２７）に接続された少なくとも１つの傾斜計（３０）を備える、請求項８記載のツール（１）。
【請求項１０】
前記第１のゲージ及び前記第２のゲージ（１６，１７）は、位置ゲージである、請求項１記載のツール。
【発明の詳細な説明】
【技術分野】
【０００１】
本開示は、ディスクコイル用の測定ツールに関する。
【背景技術】
【０００２】
ＥＭＲ（電子的医療記録）のような特定の用途において、磁石用のディスクコイルが広く用いられている。
【０００３】
これらのディスクコイルは、互いに絶縁されかつ一方が他方の内側に同心状に配置された（例えば銅から形成された）複数の円形の導電性リングから形成された構造体を有する。
【０００４】
これらの種類の用途に必要とされる高い質の磁界を保証するために、コイルの特徴、特にコイルの幾何学的特徴は、極めて正確でなければならない。
【０００５】
これは、高精度の製造ツールに加え、製造されたコイルの幾何学的特徴をチェックするための測定ツールを必要とする。
【０００６】
しかしながら、現在はこのような測定ツールは提供されていない。
【発明の概要】
【発明が解決しようとする課題】
【０００７】
本発明の課題は、コイルの幾何学的特徴を正確に測定するディスクコイル用の測定ツールを提供することである。
【課題を解決するための手段】
【０００８】
開示の態様は、コイルの幾何学的特徴の正確な測定を提供する、ディスクコイル用の測定ツールを提供することを含む。
【０００９】
これらの態様及びその他の態様は、添付の請求項に係る測定ツールを提供することによって達成される。
【００１０】
別の特徴及び利点は、添付の図面における非制限的な例によって例示された、ツールの好適であるが排他的でない実施の形態の説明からさらに明らかになるであろう。
【図面の簡単な説明】
【００１１】
【図１】第１の実施の形態におけるツールを示す概略図である。
【図２】第１の実施の形態におけるツールの詳細図を示す概略図である。
【図３】第２の実施の形態におけるツールを示す概略図である。
【図４】ディスクコイルを示す概略図である。
【図５】ディスクコイルを示す概略図である。
【発明を実施するための形態】
【００１２】
図面を参照すると、これらの図面は、ディスクコイル２用の測定ツール１を示している。
【００１３】
ディスクコイル２は、例えば銅から形成された複数の導電性リング３を有する。リング３は、軸線４と同軸である。
【００１４】
さらに、ディスクコイル２は、内側境界６によって画定された中央孔５と、外側境界７とを形成する環状の構造体を成す。ディスクコイル２は、２つの互いに反対側の面８，９をも有する。
【００１５】
このディスクコイル２の幾何学的特徴は正確に測定されなければならない。例えば、幾何学的特徴は、ディスクコイル２を形成する各リング３の真円度、又はディスクコイル２の面８，９の平行度を含む。
【００１６】
これらの特徴を測定するために、測定ツール１を使用することができる。
【００１７】
測定ツール１はフレーム１０を有し、このフレーム１０上には１つ以上のキャリヤ１１，１２が具備されている。キャリヤ１１，１２は可動な支持体１３，１４を有する。
【００１８】
さらに、各可動な支持体１３，１４は、ディスクコイルの幾何学的特徴を測定するためのゲージ１６，１７を支持している。
【００１９】
可動な支持体１３，１４を備えたキャリヤはアクチュエータであることができる。例えば、第１のキャリヤ１１は、空圧式シリンダであることができ、可動な支持体１３は空圧式シリンダのピストンであることができる。同様に、第２のキャリヤ１２は、空圧式シリンダであることができ、可動な支持体１４は、空圧式シリンダのピストンであることができる。もちろん、例えば液圧式アクチュエータ、電気式アクチュエータなどの様々なタイプのアクチュエータを用いることもできる。
【００２０】
ゲージは好適にはコンタクトゲージのような位置ゲージである。
【００２１】
好適には、フレーム１０は、コイル２用の支持体２０を含む又はコイル２用の支持体２０に結合されている。
【００２２】
支持体２０は、好適にはフレーム１０に対して回転可能である。例えば、支持体を固定することができ、フレームが回転することができるか、又はフレームを固定することができ、支持体が回転することができる。
【００２３】
コイル２用の支持体２０は、コイル２を孔５において保持するように配置された中央エレメント２１を有する。支持体２０は、中央エレメント２１に結合された支柱２２をも有する。
【００２４】
様々な例において、中央エレメント２１を、支柱２２の下側又は支柱２２の上側に結合することができる。
【００２５】
好適な実施の形態において、ツール１は、可動な支持体１３及び第１のゲージ１６を備える第１のキャリヤ１１と、可動な支持体１４及び第２のゲージ１７を備える第２のキャリヤ１２とを有する。
【００２６】
さらに、角度位置のセンサ２５も好適には提供されている。
【００２７】
第１及び第２のキャリヤ１１，１２及び角度位置のセンサ２５は、制御ユニット２７に接続されている。
【００２８】
例えば、第１のゲージ１６は、リング３の円周経路（the circumferential path）をたどり、リング３の円周経路を示す第１の信号を発生するよう配置することができ、第２のゲージ１７は、ディスクコイル２の外側境界７の経路をたどり、ディスクコイル２の外側境界７の経路を示す第２の信号を発生するよう配置することができる。つまり、制御ユニットは、第１の信号と第２の信号との差又はその逆を計算することによって、外側境界７に関する各リング３の形状を確認するよう配置することができる。
【００２９】
支持体２０は、複数の支柱２２を有することもでき、コイル２用の支持平面２８を規定することができる。この場合、コイル２は、中央エレメント２１に結合されたとき、支持平面２８に位置することができる。さらに、ツール１の第１のゲージ１６及び第２のゲージ１７の一方を支持平面２８の上方に、他方を支持平面２８の下方に位置決めすることができる。
【００３０】
ツール１には傾斜計３０を設けることもできる。傾斜計３０は、例えばキャリヤ１１，１２のうちの一方によって支持されており、制御ユニット２７に接続されている。
【００３１】
以下では、ツールの２つの例が詳細に説明される。
【実施例】
【００３２】
実施例１
図１及び図２に示したツールは、ディスクコイル２のリング３の真円度を測定するために用いることができる。
【００３３】
図面から明らかなように、ディスクコイル２は、中央エレメント２１によって支持されており、ゲージ１６，１７に面している。
【００３４】
ゲージ１６は、各リング３の経路をたどり、その位置を示す信号を、キャリヤ１２を介して制御ユニット２７へ送信する。ゲージ１７は、ディスクコイル２の外周部の経路をたどり、また、その位置を示す信号を制御ユニット２７へ送信する。
【００３５】
さらに、角度位置のセンサ２５も、その位置を示す信号（ひいては角度位置のセンサ２５に結合されたディスクコイル２の位置をも示す）を制御ユニット２７へ送信する。
【００３６】
制御ユニット２７は、これらの信号に基づいて、外側のディスクコイル周縁部に関する各リング３の経路、つまり各リング３の真円度を計算することができる。
【００３７】
実施例２
図３は、ツール１の別の例を示している。この例におけるツール１は、ディスクコイル２の面８，９の平行度を測定するために利用することができる。
【００３８】
図３に示したように、ツール１は、支持平面２８にディスクコイル２を支持する支柱２２（好適には２つ以上）を有することができる。
【００３９】
フレーム１０は、可動な支持体１３，１４及びゲージ１６，１７を備えたキャリヤ１１，１２を支持している。ゲージ１６，１７は、支持平面２８に関して互いに反対側に（すなわち一方は上方に、他方は下方に）配置されている。ゲージ１６，１７は、位置ゲージであり、両方ともディスクコイル２の１つのリング３において同時に使用される。
【００４０】
さらに、この実施の形態において、傾斜計３０も好適には設けられている（もちろん角度位置のセンサ２５を提供することもできる）。
【００４１】
第１及び第２のゲージ１６，１７並びに傾斜計３０は、制御ユニット２７へ送信される信号を発生する。制御ユニット２７は、これらの信号に基づいて、面８，９を仮想的に再構成することができ、これらの面８，９の平行度を確認することができる。傾斜計は、キャリヤ１１，１２の可能な不正確な向きを補正するために利用することができる（キャリヤ１１，１２は、図示された実施の形態において水平であるべきである）。
【００４２】
もちろん、説明された特徴は、互いに独立して提供されてよい。
【００４３】
実際には、使用される材料、及び寸法は、要求及び従来技術にしたがって任意に選択することができる。
【符号の説明】
【００４４】
１  ツール
２  ディスクコイル
３  リング
４  軸線
５  中央孔
６  内側境界
７  外側境界
８  面
９  面
１０  フレーム
１１  キャリヤ
１２  キャリヤ
１３  支持体
１４  支持体
１６  ゲージ
１７  ゲージ
２０  支持体
２１  中央エレメント
２２  支柱
２５  センサ
２７  制御ユニット
２８  支持平面
３０  傾斜計
【図４】
0005744098.tif 000002
【図５】
0005744098.tif 000003
【図１】
0005744098.tif 000004
【図２】
0005744098.tif 000005
【図３】
0005744098.tif 000006